(57)【要約】【課題】シャシダイナモ装置を用いた、ＦＲ−ＨＥＶ車両に対する二輪駆動状態の燃費測定時に、回生制動により発電する電力の減少を抑制することが可能な、ハイブリッド車両の回生制動力制御装置及び回生制動力制御方法を提供する。【解決手段】後輪のみを駆動輪とした二輪駆動状態のハイブリッド車両が、シャシダイナモ装置上で、後輪の回転のみで走行すると判定すると、前輪及び後輪を駆動輪とした四輪回転状態において運転者が要求する制動力に応じてモータが発生する回生制動力よりも、運転者が要求する制動力に応じてモータが発生する回生制動力の減少度合いを減少させる。【選択図】図６
2010154643.tif 000002
【特許請求の範囲】
【請求項１】
前輪と、エンジンとモータとの間に介装する第一クラッチと、前記モータと後輪との間に介装する第二クラッチと、を有するハイブリッド車両が備え、
前記モータが発生する回生制動力を制御するハイブリッド車両の回生制動力制御装置であって、
前記第一クラッチを解放するとともに前記第二クラッチを接続し、且つ前記前輪及び前記後輪のうち後輪のみを駆動輪とした二輪駆動状態の前記ハイブリッド車両が、シャシダイナモ装置上で前記後輪の回転のみで走行しているか否かを判定するシャシダイ走行判定手段と、
運転者が要求する制動力を検出する要求制動力検出手段と、
運転者が要求する制動力と、当該制動力に応じて前記前輪が発生する前輪制動力及び前記後輪が発生する後輪制動力と、前記運転者が要求する制動力に応じて前記モータが発生する回生制動力の前記後輪制動力に対する割合と、の関係を示す複数の制動力マップを有する制動力マップ記憶部と、
前記シャシダイ走行判定手段の判定結果に応じて、前記複数の制動力マップのうち一つを選択するマップ選択手段と、
前記要求制動力検出手段が検出する制動力を前記マップ選択手段が選択した制動力マップに適合させて、前記回生制動力を制御する回生制動力制御手段と、を備え、
前記複数の制動力マップは、前記運転者が要求する制動力に応じて前記モータが発生する回生制動力として、前記前輪及び前記後輪を回転可能とした四輪回転状態において運転者が要求する制動力に応じて前記モータが発生する回生制動力を適用した通常マップと、当該通常マップよりも運転者が要求する制動力に応じて前記モータが発生する回生制動力の減少度合いが小さいシャシダイ走行マップと、を含み、
前記マップ選択手段は、前記シャシダイ走行判定手段が、二輪駆動状態の前記ハイブリッド車両がシャシダイナモ装置上で前記後輪の回転のみで走行していると判定すると、前記複数の制動力マップから前記シャシダイ走行マップを選択することを特徴とするハイブリッド車両の回生制動力制御装置。
【請求項２】
前記シャシダイ走行マップの前記運転者が要求する制動力に応じて前記モータが発生する回生制動力を、前記四輪回転状態において運転者が要求する制動力に応じて前記モータが発生する回生制動力に対し、予め算出した踏力係数を乗じた値とし、
前記踏力係数を、前記四輪回転状態において運転者が要求する制動力に応じて前記前輪及び前記後輪が発生する総制動力のうち前記前輪制動力に配分する配分比をＢｆとし、前記総制動力のうち前記後輪制動力に配分する配分比をＢｒとした場合に、以下の計算式で算出することを特徴とする請求項１に記載したハイブリッド車両の回生制動力制御装置。
踏力係数＝（Ｂｆ＋Ｂｒ）／Ｂｒ
【請求項３】
前記シャシダイ走行判定手段は、前記複数の制動力マップから一つの制動力マップを選択する選択操作を検出するマップ選択操作検出手段を備え、
前記マップ選択操作検出手段が前記シャシダイ走行マップを選択する選択操作を検出すると、二輪駆動状態の前記ハイブリッド車両がシャシダイナモ装置上で前記後輪の回転のみで走行していると判定することを特徴とする請求項１または２に記載したハイブリッド車両の回生制動力制御装置。
【請求項４】
前記シャシダイ走行判定手段は、運転者が要求する駆動力を検出する要求駆動力検出手段と、前記前輪の回転状態を検出する前輪回転状態検出手段と、を備え、
前記要求駆動力検出手段が検出した前記駆動力が所定の駆動力以上であり、且つ前記前輪回転状態検出手段が前記前輪の停止を検出した場合に、二輪駆動状態の前記ハイブリッド車両がシャシダイナモ装置上で前記後輪の回転のみで走行していると判定することを特徴とする請求項１から３のうちいずれか１項に記載したハイブリッド車両の回生制動力制御装置。
【請求項５】
前輪と、エンジンとモータとの間に介装する第一クラッチと、前記モータと後輪との間に介装する第二クラッチと、を有するハイブリッド車両に対し、前記モータが発生する回生制動力を制御するハイブリッド車両の回生制動力制御方法であって、
前記第一クラッチを解放するとともに前記第二クラッチを接続し、且つ前記前輪及び前記後輪のうち後輪のみを駆動輪とした二輪駆動状態の前記ハイブリッド車両が、シャシダイナモ装置上で前記後輪の回転のみで走行する場合に、
運転者が要求する制動力に応じて前記モータが発生する回生制動力の減少度合いを、前記前輪及び前記後輪を回転可能とした四輪回転状態において運転者が要求する制動力に応じて前記モータが発生する回生制動力よりも減少させて、前記回生制動力を制御することを特徴とするハイブリッド車両の回生制動力制御方法。
【発明の詳細な説明】
【技術分野】
【０００１】
本発明は、モータにより駆動する後輪を備えるハイブリッド車両に対し、回生制動力を制御するハイブリッド車両の回生制動力制御装置及び回生制動力制御方法に関する。
【背景技術】
【０００２】
エンジンとモータとの間に介装する第一クラッチと、モータと駆動輪との間に介装する第二クラッチとの接続及び解放の組み合わせにより、エンジン及びモータによる走行や回生制動等の走行制御が可能なハイブリッド車両がある。
このようなハイブリッド車両に対し、回生制動時にモータが発生する回生制動力等を測定する装置として、例えば、特許文献１に記載されているような装置がある。
【０００３】
特許文献１に記載の装置は、シャシダイナモ装置（シャシダイナモメータ）で検出した駆動輪の制動力を、駆動輪及び従動輪の合計制動力として仮定し、その制動力を、予め記憶した制動力配分率のデータにより分解して、基準回生制動力を算出する。さらに、運転者が実際にブレーキを操作した際の踏力（実踏力）を検出し、この実踏力と制動力配分率のデータに基づき、実踏力により駆動輪が発生する制動力と同じ制動力を、駆動輪及び従動輪がトータルとして発生するための仮想踏力として算出する。そして、この仮想踏力と制動力配分率のデータとに基づいて、仮想踏力において駆動輪が発生する仮想回生制動力を算出し、この仮想回生制動力を基準回生制動力と比較する。
【特許文献１】特開平１０−２１７９３５号公報
【発明の開示】
【発明が解決しようとする課題】
【０００４】
ところで、ハイブリッド車両としては、モータにより駆動する駆動輪を後輪としたハイブリッド車両（ＦＲ−ＨＥＶ車両）がある。このＦＲ−ＨＥＶ車両では、第一クラッチを解放し、第二クラッチを接続した状態を、二輪駆動状態とする。
このようなＦＲ−ＨＥＶ車両に対し、特許文献１に記載の装置を用いて、二輪駆動状態における燃費測定を行う場合の制動時には、前輪が回転しないため、ブレーキの実踏力に応じた油圧制動及び回生制動が可能な後輪のみで、制動力を発生させる。このため、実際に路面上を走行している状態、すなわち、前輪及び後輪が回転している状態における回生制動時よりも、ブレーキの実踏力を増加させることとなる。
【０００５】
上記の燃費測定において、前輪及び後輪が回転している状態における回生制動時よりもブレーキの実踏力を増加させると、ブレーキ制御手段（ブレーキＥＣＵ）が、運転者が要求する制動力が回生制動による制動力よりも増加したと認識する。このため、ブレーキＥＣＵは、ハイブリッド車両の操縦安定性を確保するために、後輪が発生する制動力のうち、回生制動による制動力の割合を減少させるとともに、油圧制動による制動力の割合を増加させる。これにより、回生制動により発電する電力の回収量が減少して、バッテリへ供給する電力が減少し、燃費が悪化するという問題が発生するおそれがある。
本発明は、上記のような点に着目してなされたもので、ＦＲ−ＨＥＶ車両に対する二輪駆動状態の燃費測定時に、回生制動により発電する電力の減少を抑制することが可能な、ハイブリッド車両の回生制動力制御装置及び減速制御方法を提供することを課題とする。
【課題を解決するための手段】
【０００６】
上記課題を解決するために、本発明は、前輪及び後輪を駆動輪とした四輪回転状態において運転者が要求する制動力に応じてモータが発生する回生制動力よりも、運転者が要求する制動力に応じてモータが発生する回生制動力の減少度合いを減少させる。これは、後輪のみを駆動輪とした二輪駆動状態のハイブリッド車両が、シャシダイナモ装置上で後輪の回転のみで走行する際に行う。
【発明の効果】
【０００７】
本発明によれば、二輪駆動状態のハイブリッド車両がシャシダイナモ装置上で走行する際に、運転者が要求する制動力に応じてモータが発生する回生制動力の減少度合いを減少させる。このため、シャシダイナモ装置を用いた、ＦＲ−ＨＥＶ車両に対する二輪駆動状態の燃費測定時に、回生制動により発電する電力の減少を抑制することが可能となる。
【発明を実施するための最良の形態】
【０００８】
（第一実施形態）
以下、本発明の第一実施形態（以下、「本実施形態」と記載する）について、図面を参照しつつ説明する。
（構成）
まず、図１から図５を参照して、本実施形態のハイブリッド車両の回生制動力制御装置（以下、「回生制動力制御装置」と記載する）の構成を説明する。
図１は、本実施形態の回生制動力制御装置を備えるハイブリッド車両ＨＥＶの概略構成図であり、ハイブリッド車両ＨＥＶの駆動系構成を説明する図である。
図１中に示すように、回生制動力制御装置を備えるハイブリッド車両ＨＥＶの駆動系は、は、前輪１と、エンジン２と、モータ４と、第一クラッチ６と、第二クラッチ８と、トランスミッション１０と、後輪１２とを有している。
【０００９】
前輪１は、車幅方向中心よりも左側に配置した左前輪１Ｌと、車幅方向中心よりも右側に配置した右前輪１Ｒを備えており、ハイブリッド車両ＨＥＶの従動輪を形成している。
左前輪１Ｌ及び右前輪１Ｒには、それぞれ、車輪の回転状態（回転数、回転速度）を検出し、この検出した回転状態を含む情報信号を、後述するブレーキコントローラ１４へ出力する車輪速センサ１６を設けている。
エンジン２は、内燃機関であり、ガソリンエンジンやディーゼルエンジンを用いて形成する。
また、エンジン２は、後述するエンジンコントローラ１８が出力する制御指令に基づいて、スロットルバルブ（図示せず）のバルブ開度等を制御する。なお、エンジン２の出力軸には、フライホイール２０を設けている。
【００１０】
また、エンジン２には、エンジン回転数センサ２２を設けている。
エンジン回転数センサ２２は、エンジン２の回転数を検出し、この検出した回転数（エンジン回転数）を含む情報信号を、エンジンコントローラ１８へ出力する。
モータ４は、ロータ（図示せず）に永久磁石を埋設し、ステータ（図示せず）にステータコイルを巻き付けた、同期型モータジェネレータで形成する。
また、モータ４は、後述するモータコントローラ２４が出力する制御指令に基づいて、インバータ２６が形成した三相交流を印加して制御する。
【００１１】
また、モータ４は、バッテリ２８から電力の供給を受けて回転駆動する電動機として動作可能である（以下、この状態を「力行」と記載する）。さらに、モータ４は、ロータが外力により回転している場合には、ステータコイルの両端に起電力を生じさせる発電機として機能し、バッテリ２８を充電することが可能である（以下、この動作状態を「回生」と記載する）。なお、モータ４のロータは、図外のダンパーを介して、トランスミッション１０の入力軸に連結している。
【００１２】
また、モータ４には、レゾルバ３０と、モータ回転数センサ３２とを設けている。
レゾルバ３０は、モータ４のロータ回転位置を検出し、この検出したロータ回転位置を含む情報信号を、モータコントローラ２４へ出力する。
モータ回転数センサ３２は、モータ４の回転数（モータ回転数Ｎｍ）を検出し、この検出したモータ回転数Ｎｍを含む情報信号を、後述する統合コントローラ３４へ出力する。
第一クラッチ６は、例えば、油圧式単板クラッチにより形成し、エンジン２とモータ４との間に介装する。
【００１３】
また、第一クラッチ６は、後述する第一クラッチコントローラ３６が出力する制御指令に基づいて、第一クラッチ油圧ユニット３８が形成する制御油圧により、滑り締結と滑り開放を含む接続状態または解放状態に切り換わる。
また、第一クラッチ６には、第一クラッチ油圧センサ４０と、第一クラッチストロークセンサ４２を設けている。
第一クラッチ油圧センサ４０は、第一クラッチ油圧ユニット３８から第一クラッチ６へのクラッチ油（作動油）供給路に配置し、第一クラッチ６へ供給するクラッチ油の圧力を検出する。そして、この検出したクラッチ油の圧力を含む情報信号を、第一クラッチコントローラ３６へ出力する。
【００１４】
第一クラッチストロークセンサ４２は、第一クラッチ６のストロークを検出し、この検出した第一クラッチ６のストロークを含む情報信号を、第一クラッチコントローラ３６へ出力する。ここで、第一クラッチ６のストロークは、第一クラッチ６が接続状態であるか解放状態であるかを反映する。
第二クラッチ８は、例えば、油圧式単板クラッチにより形成し、モータ４と左右後輪１２Ｌ、１２Ｒとの間に介装する。
また、第二クラッチ８は、後述するＡＴコントローラ４４が出力する制御指令に基づいて、第二クラッチ油圧ユニット４６が形成する制御油圧により、滑り締結と滑り開放を含む接続状態または解放状態に切り換わる。
【００１５】
また、第二クラッチ８は、トランスミッション１０の各変速段にて締結する複数の摩擦締結要素のうち、いくつかの摩擦締結要素を流用している。
また、第二クラッチ８には、第二クラッチ油圧センサ４８と、第二クラッチ出力回転数センサ５０と、第二クラッチトルクセンサ５２とを設けている。
第二クラッチ油圧センサ４８は、第二クラッチ油圧ユニット４６から第二クラッチ８へのクラッチ油（作動油）供給路に配置し、第二クラッチ８へ供給するクラッチ油の圧力を検出する。そして、この検出したクラッチ油の圧力を含む情報信号を、統合コントローラ３４へ出力する。
【００１６】
第二クラッチ出力回転数センサ５０は、第二クラッチ８の出力回転数（第二クラッチ出力回転数Ｎ２ｏｕｔ）を検出し、この検出した第二クラッチ出力回転数Ｎ２ｏｕｔを含む情報信号を、統合コントローラ３４へ出力する。
第二クラッチトルクセンサ５２は、第二クラッチ８のトルク（第二クラッチトルクＴＣＬ２）を検出し、この検出した第二クラッチトルクＴＣＬ２を含む情報信号を、統合コントローラ３４へ出力する。
トランスミッション１０は、例えば、前進５速・後退１速、前進６速・後退１速等、有段階の変速比を、車速やアクセル開度等に応じて自動的に切り換える変速機である。
また、トランスミッション１０は、メカオイルポンプ５４と、電動オイルポンプ５６とを備えている。
【００１７】
メカオイルポンプ５４は、エンジン２を動力としており、トランスミッション１０に油圧を供給する。
電動オイルポンプ５６は、トランスミッション１０に油圧を供給するポンプとしての機能と、油圧駆動の発電機としての機能を備えている。
以上により、トランスミッション１０は、トランスミッション１０に油圧を供給するポンプとして、メカオイルポンプ５４と、電動オイルポンプ５６とを併用している。
後輪１２は、前輪１よりも車両前後方向後方に配置してあり、車幅方向中心よりも左側に配置した左後輪１２Ｌと、車幅方向中心よりも右側に配置した右後輪１２Ｒを備えている。
【００１８】
左後輪１２Ｌは、左ドライブシャフト５８Ｌ、ディファレンシャル６０、プロペラシャフト６２を介して、トランスミッション１０の出力軸と連結している。
右後輪１２Ｒは、右ドライブシャフト５８Ｒ、ディファレンシャル６０、プロペラシャフト６２を介して、トランスミッション１０の出力軸と連結している。
したがって、左後輪１２Ｌ及び右後輪１２Ｒは、第二クラッチ８を接続状態に切り換えると、モータ４により駆動するハイブリッド車両ＨＥＶの駆動輪を形成する。
【００１９】
また、左後輪１２Ｌ及び右後輪１２Ｒには、それぞれ、車輪の回転状態（回転数、回転速度）を検出し、この検出した回転状態を含む情報信号を、ブレーキコントローラ１４へ出力する車輪速センサ１６を設けている。なお、図１中では、左前輪１Ｌ、右前輪１Ｒ、左後輪１２Ｌ及び右後輪１２Ｒにそれぞれ設けた四つの車輪速センサを一括して、一つの「車輪速センサ１６」として示している。
【００２０】
次に、ハイブリッド車両ＨＥＶの制御系を説明する。
ハイブリッド車両ＨＥＶの制御系は、エンジンコントローラ１８と、モータコントローラ２４と、インバータ２６と、バッテリ２８と、第一クラッチコントローラ３６と、第一クラッチ油圧ユニット３８とを有している。これに加え、ハイブリッド車両ＨＥＶの制御系は、ＡＴコントローラ４４と、第二クラッチ油圧ユニット４６と、ブレーキコントローラ１４と、統合コントローラ３４とを有している。
なお、エンジンコントローラ１８と、モータコントローラ２４と、第一クラッチコントローラ３６と、ＡＴコントローラ４４と、ブレーキコントローラ１４と、統合コントローラ３４とは、互いに情報信号の入出力が可能な、ＣＡＮ通信線６４を介して接続している。
【００２１】
エンジンコントローラ１８は、エンジン回転数センサ２２が出力した情報信号の入力を受けると、統合コントローラ３４が出力する目標エンジントルク指令等に応じて、エンジン動作点を制御する指令（制御指令）を演算する。そして、この演算した制御指令を含む情報信号を、例えば、図外のスロットルバルブアクチュエータへ出力する。なお、エンジン動作点を制御する指令が含むエンジン回転数Ｎｅの情報は、ＣＡＮ通信線６４を介して、統合コントローラ３４へ出力する。
【００２２】
モータコントローラ２４は、レゾルバ３０が出力した情報信号の入力を受けると、統合コントローラ３４が出力した目標モータジェネレータトルク指令等に応じて、モータ４のモータ動作点を制御する指令（制御指令）を演算する。そして、この演算した制御指令を含む情報信号を、インバータ２６へ出力する。
なお、モータコントローラ２４では、バッテリ２８の充電状態を示すバッテリＳＯＣを監視している。バッテリＳＯＣを監視して得たバッテリＳＯＣの情報（情報信号）を、モータ４の制御情報に用いるとともに、ＣＡＮ通信線６４を介して、統合コントローラ３４へ出力する。
【００２３】
第一クラッチコントローラ３６は、第一クラッチ油圧センサ４０及び第一クラッチストロークセンサ４２が出力した情報信号の入力を受けると、統合コントローラ３４が出力した第一クラッチ制御指令に応じて、第一クラッチ６を制御する指令（制御指令）を演算する。ここで、第一クラッチ６を制御する指令とは、第一クラッチ６を接続状態または解放状態に切り換える指令である。
【００２４】
そして、第一クラッチコントローラ３６は、演算した制御指令を含む情報信号を、第一クラッチ油圧ユニット３８に出力する。なお、第一クラッチストロークＣＩＳの情報は、ＣＡＮ通信線６４を介して、統合コントローラ３４へ出力する。
ＡＴコントローラ４４は、アクセル開度センサ６６、車速センサ６８及び第二クラッチ油圧センサ４８が出力した情報信号の入力を受けると、統合コントローラ３４が出力した第二クラッチ制御指令に応じて、第二クラッチ８を制御する指令（制御指令）を演算する。ここで、第二クラッチ８を制御する指令とは、第二クラッチ８を接続状態または解放状態に切り換える指令である。
【００２５】
そして、ＡＴコントローラ４４は、変速制御における第二クラッチ８の制御に優先して、演算した制御指令を含む情報信号を、ＡＴ油圧コントロールバルブ内の第二クラッチ油圧ユニット４６に出力する。
なお、アクセル開度センサ６６は、運転者によるアクセルペダル（図示せず）の操作量（踏量）を検出し、この検出した操作量を含む情報信号を、ＡＴコントローラ４４へ出力する。また、アクセルペダルの操作量、すなわち、アクセル開度ＡＰの情報は、ＣＡＮ通信線６４を介して、統合コントローラ３４へ出力する。
【００２６】
また、車速センサ６８は、例えば、ディファレンシャル６０に設けてあり、トランスミッション１０の出力軸の回転数等に基づいて、ハイブリッド車両ＨＥＶの速度（車速）を検出する。この検出した車速を含む情報信号を、ＡＴコントローラ４４へ出力する。また、車速ＶＳＰの情報は、ＣＡＮ通信線６４を介して、統合コントローラ３４へ出力する。
【００２７】
ブレーキコントローラ１４は、車輪速センサ１６及びブレーキストロークセンサ７０が出力した情報信号の入力を受けると、統合コントローラ３４が出力した回生協調制御指令に基づいて、回生協調ブレーキ制御を行う。この回生協調ブレーキ制御は、例えば、ブレーキペダル（図示せず）の踏み込み制動時、ブレーキストロークＢＳに基づいて求める要求制動力に対し、モータ４が発生する回生制動力だけでは不足する場合、その不足分を、機械的制動力で補足するように行う制御である。ここで、機械的制動力とは、油圧ブレーキやモータブレーキ等を示す。
【００２８】
具体的には、第二クラッチ８を連結状態として、後輪１２によりモータ４を回す回生により発電するとともに、回生制動力を発生させる。このとき、モータ４が発電する電力は、ＳＯＣが減少しているバッテリ２８へ供給して、バッテリ２８の充電容量を増加させる。ここで、第一クラッチ６を解放状態として、モータ４とエンジン２を切り離すとともに、エンジン２は停止（アイドルストップ）状態とする。
【００２９】
そして、上記のように、回生制動力だけでは要求制動力が得られない場合には、予め設定した制動力マップを参照して、回生制動力と機械的制動力との協調による回生協調ブレーキを併用する。制動力マップに関する説明は、後述する。
ここで、機械的制動力による制動は、各車輪（左右前輪１Ｌ、１Ｒ及び左右後輪１２Ｌ、１２Ｒ）に設けたブレーキ装置７２を介して行う。なお、図１中では、左前輪１Ｌ、右前輪１Ｒ、左後輪１２Ｌ及び右後輪１２Ｒにそれぞれ設けた四つのブレーキ装置を一括して、一つの「ブレーキ装置７２」として示している。
【００３０】
なお、ブレーキストロークセンサ７０は、運転者によるブレーキペダルの操作量（踏量）を検出し、この検出した操作量を含む情報信号を、ブレーキコントローラ１４へ出力する。また、ブレーキペダルの操作量を含む情報信号は、ＣＡＮ通信線６４を介して、統合コントローラ３４へ出力する。
統合コントローラ３４は、ハイブリッド車両ＨＥＶ全体の消費エネルギ（エンジン消費燃料、モータ消費電力）を管理し、高い効率でハイブリッド車両ＨＥＶを走行させるような制御を行う。
【００３１】
具体的には、統合コントローラ３４は、モータ回転数センサ３２、第二クラッチ出力回転数センサ５０、第二クラッチトルクセンサ５２、マップ選択スイッチ７４がそれぞれ出力した情報信号、及びＣＡＮ通信線６４を介して得られる各種の情報信号の入力を受ける。
なお、マップ選択スイッチ７４は、後述する測定者や運転者等の人為的な選択操作や、外部装置が出力した信号により、後述する制動力マップ記憶部７６が記憶している複数の制動力マップの中から、一つの制動力マップを選択するスイッチである。
【００３２】
また、マップ選択スイッチ７４は、人為的な選択操作や、外部装置が出力した信号により、複数の制動力マップのうち一つの制動力マップが選択されると、この選択された制動力マップを示す情報信号を、統合コントローラ３４へ出力する。ここで、人為的な選択操作や、外部装置が出力した信号により、複数の制動力マップのうち、後述するシャシダイ走行マップを選択するモードを、「整備モード」とする。
【００３３】
そして、上述した各情報信号の入力を受けた統合コントローラ３４は、エンジンコントローラ１８へ出力する制御指令により、エンジン２の動作制御を行い、モータコントローラ２４へ出力する制御指令により、モータ４の動作制御を行う。これに加え、上述した各情報信号の入力を受けた統合コントローラ３４は、第一クラッチコントローラ３６へ出力する制御指令により、第一クラッチ６の接続または解放制御を行う。さらに、上述した各情報信号の入力を受けた統合コントローラ３４は、ＡＴコントローラ４４へ出力する制御指令により、第二クラッチ８の接続または解放制御を行う。また、上述した各情報信号の入力を受けた統合コントローラ３４は、ブレーキコントローラ１４へ出力する制御指令により、各ブレーキ装置７２の動作制御を行う。
【００３４】
次に、図１を参照しつつ、図２から図５を用いて、回生制動力制御装置の詳細な構成について説明する。
図２は、回生制動力制御装置の構成を示すブロック図である。
図２中に示すように、回生制動力制御装置は、シャシダイ走行判定手段７８と、要求制動力検出手段８０と、制動力マップ記憶部７６と、マップ選択手段８２と、回生制動力制御手段８４とを備えている。なお、シャシダイ走行判定手段７８、制動力マップ記憶部７６、マップ選択手段８２及び回生制動力制御手段８４は、統合コントローラ３４が備えている。
【００３５】
シャシダイ走行判定手段７８は、二輪駆動状態のハイブリッド車両ＨＥＶが、シャシダイナモ装置上で、後輪１２の回転のみで走行しているか否かを判定する。ここで、二輪駆動状態とは、第一クラッチ６を解放するとともに第二クラッチ８を接続し、さらに、前輪１及び後輪１２のうち、後輪１２のみを駆動輪とした状態である。すなわち、二輪駆動状態では、前輪１は従動輪を形成する。
【００３６】
また、二輪駆動状態のハイブリッド車両ＨＥＶが、シャシダイナモ装置ＣＤ上で、後輪１２の回転のみで走行している状態とは、図３中に示すように、シャシダイナモ装置ＣＤが備えるローラＲにより、駆動輪とした後輪１２を回転可能に支持する状態である。この状態では、前輪１を、ローラＲを取り付けた台の上面ＣＤＵに載置するため、前輪１は回転しない。なお、図３は、シャシダイナモ装置ＣＤ上にハイブリッド車両ＨＥＶを配置した状態を示す図である。
【００３７】
これは、例えば、工場で完成したハイブリッド車両ＨＥＶに対し、二輪駆動状態における回生制動力や燃費等の測定を行う状態である。なお、本実施形態では、工場で完成したハイブリッド車両ＨＥＶに対し、二輪駆動状態における燃費測定を行う場合について説明する。
なお、シャシダイナモ装置ＣＤには、図外の診断機を接続している。この診断機は、マップ選択スイッチ７４へ、複数の制動力マップから、シャシダイ走行マップを選択する信号を出力可能な構成である。
【００３８】
以下、シャシダイ走行判定手段７８の具体的な構成について説明する。
シャシダイ走行判定手段７８は、マップ選択操作検出手段８６と、要求駆動力検出手段８８と、前輪回転状態検出手段９０と、シャシダイ走行判定部９２とを備えている。
マップ選択操作検出手段８６は、マップ選択スイッチ７４が出力した情報信号に基づき、この情報信号が含む、複数の制動力マップの中から選択された一つの制動力マップを参照する。そして、この選択された一つの制動力マップを含む情報信号を、シャシダイ走行判定部９２へ出力する。
【００３９】
要求駆動力検出手段８８は、アクセル開度センサ６６が出力する情報信号に基づき、この情報信号が含む、運転者が要求する駆動力を検出する。そして、この検出した駆動力を含む情報信号を、シャシダイ走行判定部９２へ出力する。
前輪回転状態検出手段９０は、ＣＡＮ通信線６４を介して、ブレーキコントローラ１４から、前輪１の回転状態を含む情報信号の入力を受ける。そして、この情報信号に基づき、前輪１の回転状態を検出して、前輪１が回転しているか否かを判定する。前輪１が回転しているか否かを判定した前輪回転状態検出手段９０は、この判定結果を含む情報信号を、シャシダイ走行判定部９２へ出力する。
【００４０】
シャシダイ走行判定部９２は、二輪駆動状態のハイブリッド車両ＨＥＶが、シャシダイナモ装置ＣＤ上で、後輪１２の回転のみで走行しているか否かを判定する。この判定は、マップ選択操作検出手段８６、要求駆動力検出手段８８及び前輪回転状態検出手段９０が出力する情報信号に基づいて行う。そして、シャシダイ走行判定部９２は、二輪駆動状態のハイブリッド車両ＨＥＶが、シャシダイナモ装置ＣＤ上で、後輪１２の回転のみで走行しているか否かの判定結果を含む情報信号を、マップ選択手段８２に出力する。
【００４１】
具体的には、以下に示す二つ条件のうち、少なくとも一方を満足する場合に、二輪駆動状態のハイブリッド車両ＨＥＶが、シャシダイナモ装置ＣＤ上で、後輪１２の回転のみで走行していると判定する。
第一の条件は、マップ選択操作検出手段８６が、シャシダイ走行マップの選択操作を検出する状態で満足する。これは、マップ選択操作検出手段８６から入力された情報信号が、複数の制動力マップの中から選択された一つの制動力マップが、シャシダイ走行マップであると判定した判定結果を含む状態である。
【００４２】
第二の条件は、要求駆動力検出手段８８が検出した駆動力が、所定の駆動力以上であり、且つ前輪回転状態検出手段９０が、前輪１の停止を検出する状態で満足する。これは、要求駆動力検出手段８８から入力された情報信号が含む、運転者の要求した駆動力が、予め設定した所定の駆動力以上となる状態である。これに加え、前輪回転状態検出手段９０から入力された情報信号が含む、前輪１の回転状態が、前輪１が回転していない状態、すなわち、前輪１の回転数及び前輪１の回転速度が「０」である状態である。
【００４３】
なお、第二の条件は、例えば、測定者や運転者等の人為的な選択操作が行われていない場合や、外部装置が信号を出力していない場合等、マップ選択スイッチ７４が情報信号を出力しておらず、第一の条件を満足する要素が無い場合に、必須の条件となる。ここで、第一の条件を満足する要素が無い場合には、マップ選択操作検出手段８６からシャシダイ走行判定部９２への情報信号の出力が無く、シャシダイ走行判定部９２は、マップ選択操作検出手段８６から出力される情報信号を検出できない状態となる。
【００４４】
なお、本実施形態では、所定の駆動力を、予め、アクセルペダルの操作量が「０」を超える状態での駆動力とする。すなわち、操作量の大小に関わらず、運転者によりアクセルペダルが操作されている状態であれば、運転者の要求した駆動力が所定の駆動力以上である状態とする。なお、所定の駆動力は、例えば、アイドリング回転数等に応じて変化させてもよい。
【００４５】
以上により、本実施形態では、第二の条件を、運転者によりアクセルペダルが操作されている（アクセルＯＮ）状態で、前輪１が停止している状態とする。
また、以上により、シャシダイ走行判定手段７８は、二輪駆動状態のハイブリッド車両ＨＥＶが、シャシダイナモ装置ＣＤ上で、後輪１２の回転のみで走行しているか否かを判定する。
要求制動力検出手段８０は、ブレーキストロークセンサ７０が出力する情報信号に基づき、この情報信号が含む、運転者が要求する制動力（以下、「要求制動力）と記載する）を検出する。そして、この検出した制動力を含む情報信号を、回生制動力制御手段８４へ出力する。
【００４６】
制動力マップ記憶部７６は、複数の制動力マップを有する。
制動力マップは、要求制動力と、要求制動力に応じて前輪１が発生する前輪制動力及び後輪１２が発生する後輪制動力と、要求制動力に応じてモータ４が発生する回生制動力の、後輪制動力に対する割合との関係を示すマップである。
複数の制動力マップは、通常マップと、シャシダイ走行マップとを含む。
通常マップは、要求制動力に応じてモータ４が発生する回生制動力として、前輪１及び後輪１２を回転可能とした四輪回転状態において、要求制動力に応じてモータ４が発生する回生制動力を適用したマップである。
【００４７】
なお、四輪回転状態とは、シャシダイナモ装置ＣＤ上ではなく、通常の路面上において、前輪１及び後輪１２を回転可能として走行する状態である。また、四輪回転状態には、前輪１及び後輪１２を駆動輪とした状態である四輪駆動状態を含む。すなわち、四輪回転状態においては、ハイブリッド車両ＨＥＶの制動時において、前輪１及び後輪１２に制動力が発生する。
一方、シャシダイ走行マップは、通常マップよりも、要求制動力に応じてモータ４が発生する回生制動力の減少度合いが小さいマップである。
【００４８】
以下、図１から図３を参照しつつ、図４及び図５を用いて、通常マップ及びシャシダイ走行マップの具体的な構成について説明する。
まず、図４を用いて、通常マップの具体的な構成について説明する。
図４は、通常マップの具体的な構成を示す図である。なお、図４中では、横軸を、要求制動力（図中では、「ブレーキ踏力」と示す）とする。また、図４中では、縦軸を、前輪制動力（図中では、「Ｆｒｏｎｔ」と示す）と後輪制動力（図中では、「Ｒｅａｒ」と示す）との総制動力（図中では、「総制動力」と示す）とする。さらに、図４中では、要求制動力に応じてモータ４が発生する回生制動力を、「回生制動力」と示す。
【００４９】
図４中に示すように、通常マップでは、運転者によりブレーキペダルの操作が開始されると、まず、要求制動力に応じてモータ４が発生する回生制動力により、後輪１２のみに制動力を発生させる。
そして、運転者によるブレーキペダルの操作量が増加して要求制動力が増加し、モータ４が発生する回生制動力の上限値に達すると、回生制動力を上限値（図中に示す「上限値」）に保持した状態で、前輪１に対する機械的制動力を発生させる。
【００５０】
前輪１に対する機械的制動力を発生させた後は、運転者によるブレーキペダルの操作量に応じて前輪１に対する機械的制動力を増加させ、回生制動力及び機械的制動力による総制動力を増加させる。
回生制動力を上限値に保持した状態で、前輪１に対する機械的制動力を増加させ、総制動力のうち前輪制動力に配分する配分比と、総制動力のうち後輪制動力に配分する配分比が、所定の配分比となると、後輪１２に対する機械的制動力を発生させる。
【００５１】
後輪１２に対する機械的制動力を発生させた後は、後輪１２に対する機械的制動力を、運転者によるブレーキペダルの操作量に応じて増加させる。また、後輪１２に対する機械的制動力を発生させた後は、後輪１２に対する機械的制動力の増加に応じて、回生制動力を減少させる。
したがって、通常マップでは、運転者によるブレーキペダルの操作量が増加すると、モータ４が発生する回生制動力は、増加した後に上限値を維持し、後輪１２に対する機械的制動力を発生させると減少する。これにより、通常マップでは、運転者によるブレーキペダルの操作量が増加すると、回生制動時に発生する電力は、上限値へ向けて増加した後に上限値を維持し、後輪１２に対する機械的制動力を発生させると減少する。
【００５２】
次に、図５を用いて、シャシダイ走行マップの具体的な構成について説明する。
図５は、シャシダイ走行マップの具体的な構成を示す図である。
図５は、シャシダイ走行マップの具体的な構成を示す図である。なお、図５中では、横軸及び縦軸、前輪制動力と後輪制動力との総制動力、要求制動力に応じてモータ４が発生する回生制動力を、図４中と同様に示す。
図５中に示すように、シャシダイ走行マップの構成は、運転者によりブレーキペダルの操作が開始された状態から、回生制動力を上限値に保持した状態で、後輪１２に対する機械的制動力を発生させる状態までは、通常マップと同様の構成とする。
【００５３】
そして、シャシダイ走行マップでは、通常マップと異なり、回生制動力を上限値に保持した状態で、後輪１２に対する機械的制動力を発生させた後も、要求制動力が所定の制動力に達するまで、回生制動力を上限値に保持する。
後輪１２に対する機械的制動力を発生させた後は、後輪１２に対する機械的制動力を、運転者によるブレーキペダルの操作量に応じて増加させる。
運転者によるブレーキペダルの操作量が増加して、要求制動力が所定の制動力に達すると、後輪１２に対する機械的制動力の増加に応じて、回生制動力を減少させる。
【００５４】
したがって、シャシダイ走行マップでは、運転者によるブレーキペダルの操作量が増加すると、モータ４が発生する回生制動力は、上限値へ向けて増加した後に、要求制動力が所定の制動力に達するまで上限値を維持する。そして、要求制動力が所定の制動力に達すると、モータ４が発生する回生制動力は、後輪１２に対する機械的制動力の増加に応じて減少する。
すなわち、シャシダイ走行マップは、通常マップよりも、要求制動力に応じてモータ４が発生する回生制動力の減少度合いが小さいマップとする。
【００５５】
また、シャシダイ走行マップに示す、モータ４が発生する回生制動力は、通常マップに示す、四輪回転状態において要求制動力に応じてモータ４が発生する回生制動力に対し、予め算出した踏力係数を乗じた値とする。この乗算は、例えば、シャシダイ走行判定部９２において、第二の条件が満足された後に行うことにより、シャシダイ走行マップに示す、モータ４が発生する回生制動力を、車速等の条件に応じて補正する。
踏力係数は、要求制動力に応じて前輪１及び後輪１２が発生する総制動力のうち、前輪制動力に配分する配分比をＢｆとし、総制動力のうち後輪制動力に配分する配分比をＢｒとした場合に、以下の計算式（１）で算出する。
踏力係数＝（Ｂｆ＋Ｂｒ）／Ｂｒ…（１）
【００５６】
なお、前輪制動力に配分する配分比Ｂｆ及び後輪制動力に配分する配分比Ｂｒは、それぞれ、車速（後輪１２の回転速度）等、走行状態を反映する要素を用いて設定してもよい。また、前輪制動力に配分する配分比Ｂｆ及び後輪制動力に配分する配分比Ｂｒは、予め、ハイブリッド車両ＨＥＶに固有の値として設定してもよい。本実施形態では、一例として、配分比Ｂｆ及び配分比Ｂｒを、予め、ハイブリッド車両ＨＥＶに固有の値として設定する場合、配分比Ｂｆ及び配分比Ｂｒは、例えば、Ｂｆ：Ｂｒ＝７：３とする。
【００５７】
ここで、踏力係数を、上述した式（１）により算出する理由について説明する。
通常、四輪回転状態では、要求制動力に応じて前輪１及び後輪１２が発生する総制動力のうち、前輪制動力に配分する配分比Ｂｆを７とし、後輪制動力に配分する配分比Ｂｒを３とする場合が多い。この配分比は、制動力の理想的な配分比に近い値である。
一方、二輪駆動状態のハイブリッド車両ＨＥＶが、シャシダイナモ装置ＣＤ上で、後輪１２の回転のみで走行する場合、要求制動力に応じて発生する制動力は、後輪１２のみで発生することとなる。このため、前輪制動力に配分する配分比Ｂｆを、後輪制動力に配分する配分比Ｂｒとともに、後輪１２で発生させることとなる。
【００５８】
したがって、二輪駆動状態のハイブリッド車両ＨＥＶが、シャシダイナモ装置ＣＤ上で、後輪１２の回転のみで走行する場合、後輪１２が発生させる制動力は、四輪回転状態と比較して、約３．３倍となる。これは、上記の式（１）に、前輪制動力に配分する配分比Ｂｆ及び後輪制動力に配分する配分比Ｂｒを代入して算出する。
このため、シャシダイナモ装置ＣＤ上で後輪１２の回転のみで走行する二輪駆動状態のハイブリッド車両ＨＥＶが、制動（減速）を行うと、後輪１２は、四輪回転状態と比較して約３倍の制動力を発生させることとなる。これは、シャシダイナモ装置ＣＤ上で走行するハイブリッド車両ＨＥＶが、例えば、減速方向の加速度が約０．２Ｇで減速する場合、後輪１２は、減速方向の加速度が約０．６Ｇとなる制動力を発生させる必要があるためである。
【００５９】
これに対し、踏力係数を、上述した式（１）により算出する踏力係数を用いて、シャシダイ走行マップに示すモータ４が発生する回生制動力の値を設定すると、要求制動力に対して回生制動力の上限値を維持する領域を、延長させることが可能となる。これにより、シャシダイナモ装置ＣＤ上で後輪１２の回転のみで走行するハイブリッド車両ＨＥＶの制動時に、四輪回転状態と比較して約３倍のブレーキペダルの操作量が発生しても、回生制動力の減少を抑制することが可能となる。
【００６０】
なお、上述した踏力係数による補正は、ハイブリッド車両として、モータにより駆動する駆動輪を前輪としたハイブリッド車両（ＦＦ−ＨＥＶ車両）では必要としない。これは、二輪駆動状態のＦＦ−ＨＥＶ車両が、シャシダイナモ装置ＣＤ上で、前輪１の回転のみで走行する場合、前輪１が発生させる制動力は、四輪回転状態と比較して、約１．４倍となる。これは、上記の式（１）に、前輪制動力に配分する配分比Ｂｆ及び後輪制動力に配分する配分比Ｂｒを代入して算出する。
【００６１】
このため、シャシダイナモ装置ＣＤ上で後輪１２の回転のみで走行する二輪駆動状態のＦＦ−ＨＥＶ車両が、減速を行うと、前輪１は、四輪回転状態と比較して、変化の少ない制動力を発生させることとなる。これは、シャシダイナモ装置ＣＤ上で走行するＦＦ−ＨＥＶ車両が、例えば、減速方向の加速度が約０．２Ｇで減速する場合、前輪１が発生させる制動力は、減速方向の加速度が約０．２８Ｇ程度の制動力となるためである。
したがって、ＦＦ−ＨＥＶ車両は、ＦＲ−ＨＥＶ車両と比較して、シャシダイナモ装置ＣＤ上で後輪１２の回転のみで走行する状態における、減速時に発生する制動力の変化が小さいため、踏力係数による補正を必要としない。
【００６２】
以下、図２及び図３を用いた説明に復帰する。
マップ選択手段８２は、シャシダイ走行判定手段７８の判定結果に応じて、複数の制動力マップのうち一つを選択する。そして、この選択した一つの制動力マップを選択する制御指令を含む情報信号を、回生制動力制御手段８４へ出力する。
具体的には、シャシダイ走行判定手段７８が出力した情報信号に基づき、制動力マップ記憶部７６が有する複数の制動力マップから、通常マップまたはシャシダイ走行マップを選択する。なお、シャシダイ走行マップの選択は、シャシダイ走行判定手段７８が出力した情報信号が、ハイブリッド車両ＨＥＶが、シャシダイナモ装置ＣＤ上で、後輪１２の回転のみで走行していると判定する判定結果を含む場合に限定して行う。そして、制動力マップ記憶部７６が有する複数の制動力マップから、選択した一つの制動力マップを選択する制御指令を生成し、この生成した制御指令を含む情報信号を、回生制動力制御手段８４へ出力する。
【００６３】
回生制動力制御手段８４は、要求制動力検出手段８０が検出する制動力を、マップ選択手段８２が選択した制動力マップに適合させて、モータ４が発生する回生制動力を制御する。
具体的には、マップ選択手段８２が出力した情報信号に基づき、制動力マップ記憶部７６が有する複数の制動力マップから、通常マップまたはシャシダイ走行マップを選択し、この選択したマップを制動力マップ記憶部７６から取得する。そして、この取得したマップと、要求制動力検出手段８０が出力した情報信号に基づき、取得したマップに要求制動力を適用して、要求制動力に応じてモータ４が発生する回生制動力を演算し、この演算した回生制動力に応じたモータトルク指令値を演算する。
モータトルク指令値を演算した回生制動力制御手段８４は、演算したモータトルク指令値を含む情報信号を、モータコントローラ２４へ出力する。
【００６４】
（動作）
次に、図１から図５を参照しつつ、図６を用いて、回生制動力制御装置を備えたハイブリッド車両ＨＥＶの動作について説明する。
図６は、回生制動力制御装置の動作（処理）を示すフローチャートである。
図６に示すフローチャートは、二輪駆動状態のハイブリッド車両ＨＥＶを、シャシダイナモ装置ＣＤ上に配置した状態からスタート（図中に示す「ＳＴＡＲＴ」）する（図３参照）。
【００６５】
二輪駆動状態のハイブリッド車両ＨＥＶを、シャシダイナモ装置ＣＤ上に配置した状態において、回生制動力制御装置の処理は、ステップＳ１０へ移行する。
ステップＳ１０では、シャシダイ走行判定部９２が、マップ選択操作検出手段８６から出力される情報信号を検出したか否か（図中に示す「マップ選択操作検出手段からの情報信号を検出？」）を判定する（図２参照）。
【００６６】
ステップＳ１０において、シャシダイ走行判定部９２が、マップ選択操作検出手段８６から出力される情報信号を検出したと判定（図中に示す「Ｙｅｓ」）した場合、回生制動力制御装置の処理は、ステップＳ２０へ移行する。
一方、ステップＳ１０において、シャシダイ走行判定部９２が、マップ選択操作検出手段８６から出力される情報信号を検出していないと判定（図中に示す「Ｎｏ」）した場合、回生制動力制御装置の処理は、ステップＳ３０へ移行する。
【００６７】
以下、ステップＳ２０以降の処理について説明する。ステップＳ３０以降の処理については、後述する。
ステップＳ２０では、シャシダイ走行判定部９２が、マップ選択スイッチ７４が出力した情報信号に基づき、複数の制動力マップから選択した一つの制動力マップが、シャシダイ走行マップであるか否かを判定する。すなわち、人為的な選択操作や、外部装置が出力した信号により、複数の制動力マップのうちシャシダイ走行マップを選択したか否か（図中に示す「整備モードに設定されているか？」）を判定する（図１及び２参照）。
【００６８】
ステップＳ２０において、複数の制動力マップのうちシャシダイ走行マップを選択したと判定（図中に示す「Ｙｅｓ」）した場合、回生制動力制御装置の処理は、ステップＳ２２へ移行する。
一方、ステップＳ２０において、複数の制動力マップのうちシャシダイ走行マップを選択していないと判定（図中に示す「Ｎｏ」）した場合、回生制動力制御装置の処理は、ステップＳ２４へ移行する。
【００６９】
ステップＳ２２では、マップ選択手段８２が、複数の制動力マップのうちシャシダイ走行マップを選択する制御指令を含む情報信号を、回生制動力制御手段８４へ出力（図中に示す「シャシダイ走行マップを選択」）する（図２及び図５参照）。そして、回生制動力制御装置の処理は、ステップＳ２６へ移行する。
一方、ステップＳ２４では、マップ選択手段８２が、複数の制動力マップのうち通常マップを選択する制御指令を含む情報信号を、回生制動力制御手段８４へ出力（図中に示す「通常マップを選択」）する（図２及び図４参照）。そして、回生制動力制御装置の処理は、ステップＳ２８へ移行する。
【００７０】
ステップＳ２６では、シャシダイ走行判定部９２が、要求駆動力検出手段８８が出力する情報信号に基づき、運転者によりアクセルペダルが操作されているか否かを判定する。これに加え、シャシダイ走行判定部９２が、前輪回転状態検出手段９０が出力する情報信号に基づき、前輪１が停止しているか否かを判定する。すなわち、運転者によりアクセルペダルが操作されているとともに、前輪１が停止しているか否か（図中に示す「アクセルペダル操作時に、前輪が停止しているか？」）を判定する（図１及び２参照）。これは、二輪駆動状態のハイブリッド車両ＨＥＶが、シャシダイナモ装置ＣＤ上で、後輪１２の回転のみで走行しているか否かの判定として用いる。
【００７１】
ステップＳ２６において、運転者によりアクセルペダルが操作されているとともに、前輪１が停止していると判定（図中に示す「Ｙｅｓ」）した場合、回生制動力制御装置の処理は、ステップＳ４０へ移行する。
一方、ステップＳ２６において、運転者によりアクセルペダルが操作されていない、または、前輪１が停止していないと判定（図中に示す「Ｎｏ」）した場合、回生制動力制御装置の処理は、ステップＳ４２へ移行する。
【００７２】
ステップＳ４０では、警告ランプを点灯（図中に示す「警告ランプ点灯」）させて、二輪駆動状態のハイブリッド車両ＨＥＶが、シャシダイナモ装置ＣＤ上で、後輪１２の回転のみで走行している状態を示す（図３参照）。そして、回生制動力制御装置の処理は、ステップＳ４４へ移行する。なお、上記の警告ランプは、シャシダイナモ装置ＣＤに接続した診断機に設けてもよく、また、ハイブリッド車両ＨＥＶの運転席付近等に配置してもよい。
【００７３】
一方、ステップＳ４２では、警告ランプを点滅（図中に示す「警告ランプ点滅」）させて、二輪駆動状態のハイブリッド車両ＨＥＶが、シャシダイナモ装置ＣＤ上で、前輪１及び後輪１２の回転のみで走行している状態を示す。そして、回生制動力制御装置の処理は、ステップＳ４６へ移行する。なお、この状態では、例えば、シャシダイナモ装置ＣＤ上のハイブリッド車両ＨＥＶが、正常な動作を行っていない可能性がある。
【００７４】
ステップＳ４４では、要求制動力に応じて前輪１及び後輪１２が発生する総制動力のうち、前輪制動力に配分する配分比Ｂｆと、後輪制動力に配分する配分比Ｂｒから、踏力係数を算出（図中に示す「配分比Ｂｆ・配分比Ｂｒから踏力係数を算出」）する。そして、回生制動力制御装置の処理は、ステップＳ４８へ移行する。
ステップＳ４８では、ステップＳ４４で算出した踏力係数を、通常マップに示す、四輪回転状態において要求制動力に応じてモータ４が発生する回生制動力に対して乗算（図中に示す「踏力係数を乗算」）する。これにより、シャシダイ走行マップに示す、モータ４が発生する回生制動力を補正する。シャシダイ走行マップに示す、モータ４が発生する回生制動力を補正すると、回生制動力制御装置の処理は、ステップＳ５０へ移行する。
【００７５】
なお、上述したステップＳ４４及びステップＳ４８の処理は、ステップＳ２２の処理とステップＳ２６の処理との間に行ってもよい。すなわち、踏力係数の算出及び乗算は、シャシダイ走行マップを選択した処理と、二輪駆動状態のハイブリッド車両ＨＥＶが、シャシダイナモ装置ＣＤ上で、後輪１２の回転のみで走行しているか否かを判定する処理との間に行ってもよい。
【００７６】
ステップＳ５０では、要求制動力検出手段８０が検出する制動力を、シャシダイ走行マップに適合させて、モータ４が発生する回生制動力を演算（図中に示す「ブレーキ踏力とシャシダイ走行マップから、回生制動力を演算する」）する（図２及図５参照）。そして、この回生制動力に応じたモータトルク指令値を演算し、演算したモータトルク指令値を含む情報信号を、モータコントローラ２４へ出力する。演算したモータトルク指令値を含む情報信号を、モータコントローラ２４へ出力すると、回生制動力制御装置の処理は、ステップＳ１０の処理へ復帰する（図中に示す「ＲＥＴＵＲＮ」）。
【００７７】
一方、ステップＳ４６では、回生制動を行わないモータトルク指令値を演算し、演算したモータトルク指令値を含む情報信号を、モータコントローラ２４へ出力（図中に示す「回生制動力を０にする」）する（図２参照）。そして、回生制動力制御装置の処理は、ステップＳ１０の処理へ復帰する（図中に示す「ＲＥＴＵＲＮ」）。
また、ステップＳ２８では、要求制動力検出手段８０が検出する制動力を、通常マップに適合させて、モータ４が発生する回生制動力を演算（図中に示す「ブレーキ踏力と通常マップから、回生制動力を演算する」）する（図２及び図４参照）。そして、この回生制動力に応じたモータトルク指令値を演算し、演算したモータトルク指令値を含む情報信号を、モータコントローラ２４へ出力する。演算したモータトルク指令値を含む情報信号を、モータコントローラ２４へ出力すると、回生制動力制御装置の処理は、ステップＳ１０の処理へ復帰する（図中に示す「ＲＥＴＵＲＮ」）。
【００７８】
次に、ステップＳ３０以降の処理について説明する。
ステップＳ３０では、ステップＳ２６の処理と同様、運転者によりアクセルペダルが操作されているとともに、前輪１が停止しているか否か（図中に示す「アクセルペダル操作時に、前輪が停止しているか？」）を判定する（図１及び２参照）。
ステップＳ３０において、運転者によりアクセルペダルが操作されているとともに、前輪１が停止していると判定（図中に示す「Ｙｅｓ」）した場合、回生制動力制御装置の処理は、ステップＳ６０へ移行する。
【００７９】
一方、ステップＳ３０において、運転者によりアクセルペダルが操作されていない、または、前輪１が停止していないと判定（図中に示す「Ｎｏ」）した場合、回生制動力制御装置の処理は、ステップＳ６２へ移行する。
ステップＳ６０では、ステップＳ２２の処理と同様の処理を行い、複数の制動力マップのうちシャシダイ走行マップを選択する制御指令を含む情報信号を、回生制動力制御手段８４へ出力（図中に示す「シャシダイ走行マップを選択」）する（図２及び図５参照）。そして、回生制動力制御装置の処理は、ステップＳ６４へ移行する。
【００８０】
一方、ステップＳ６２では、ステップＳ４２の処理と同様、警告ランプを点滅（図中に示す「警告ランプ点滅」）させる。そして、回生制動力制御装置の処理は、ステップＳ６６へ移行する。
ステップＳ６４では、ステップＳ４０の処理と同様、警告ランプを点灯（図中に示す「警告ランプ点灯」）させる。そして、回生制動力制御装置の処理は、ステップＳ６８へ移行する。
【００８１】
ステップＳ６８では、ステップＳ４４の処理と同様、踏力係数を算出（図中に示す「配分比Ｂｆ・配分比Ｂｒから踏力係数を算出」）する。そして、回生制動力制御装置の処理は、ステップＳ７０へ移行する。
ステップＳ７０では、ステップＳ４８の処理と同様、ステップＳ６８で算出した踏力係数を、通常マップに示す、四輪回転状態において要求制動力に応じてモータ４が発生する回生制動力に対して乗算（図中に示す「踏力係数を乗算」）する。これにより、シャシダイ走行マップに示す、モータ４が発生する回生制動力を補正する。シャシダイ走行マップに示す、モータ４が発生する回生制動力を補正すると、回生制動力制御装置の処理は、ステップＳ７２へ移行する。
【００８２】
ステップＳ７２では、ステップＳ５０の処理と同様の処理を行い、モータ４が発生する回生制動力を演算（図中に示す「ブレーキ踏力とシャシダイ走行マップから、回生制動力を演算する」）する（図２及図５参照）。そして、この回生制動力に応じたモータトルク指令値を演算し、演算したモータトルク指令値を含む情報信号を、モータコントローラ２４へ出力すると、回生制動力制御装置の処理は、ステップＳ１０の処理へ復帰する（図中に示す「ＲＥＴＵＲＮ」）。
【００８３】
一方、ステップＳ６６では、ステップＳ４６の処理と同様、回生制動を行わないモータトルク指令値を演算し、演算したモータトルク指令値を含む情報信号を、モータコントローラ２４へ出力（図中に示す「回生制動力を０にする」）する（図２参照）。そして、回生制動力制御装置の処理は、ステップＳ１０の処理へ復帰する（図中に示す「ＲＥＴＵＲＮ」）。
【００８４】
なお、上述したように、本実施形態の回生制動力制御装置の動作で実施するハイブリッド車両の回生制動力制御方法（回生制動力制御方法）は、運転者が要求する制動力に応じて、モータが発生する回生制動力を制御する方法である。
具体的には、前輪及び後輪を駆動輪とした四輪回転状態において運転者が要求する制動力に応じてモータが発生する回生制動力よりも、運転者が要求する制動力に応じてモータが発生する回生制動力の減少度合いを減少させる。これは、後輪のみを駆動輪とした二輪駆動状態のハイブリッド車両が、シャシダイナモ装置上で後輪の回転のみで走行する際に行う。
【００８５】
（第一実施形態の効果）
（１）本実施形態の回生制動力制御装置では、シャシダイ走行判定手段が、二輪駆動状態のハイブリッド車両がシャシダイナモ装置上で後輪の回転のみで走行していると判定すると、マップ選択手段が、複数の制動力マップからシャシダイ走行マップを選択する。ここで、シャシダイ走行マップは、運転者が要求する制動力に応じてモータが発生する回生制動力の減少度合いが、前輪及び後輪を回転可能とした四輪回転状態で用いる通常マップよりも小さいマップである。
【００８６】
このため、制動時に、前輪及び後輪が回転している状態における回生制動時よりもブレーキの操作量を増加させても、後輪が発生する制動力のうち、回生制動による制動力の割合が減少することを抑制することが可能となる。
その結果、ＦＲ−ＨＥＶ車両に対する二輪駆動状態の燃費測定時に、回生制動により発電する電力の回収量が減少することを抑制可能となり、バッテリへ供給する電力の減少を抑制して、燃費の低下を抑制することが可能となる。
【００８７】
（２）本実施形態の回生制動力制御装置では、シャシダイ走行マップの、要求制動力に応じてモータが発生する回生制動力を、四輪回転状態における、要求制動力に応じてモータが発生する回生制動力に対し、予め算出した踏力係数を乗じた値とする。ここで、踏力係数は、四輪回転状態における要求制動力に応じて前輪及び後輪が発生する総制動力のうち、前輪制動力に配分する配分比をＢｆとし、後輪制動力に配分する配分比をＢｒとして算出する。また、踏力係数は、（Ｂｆ＋Ｂｒ）／Ｂｒの計算式により算出する。
【００８８】
このため、シャシダイナモ装置上で行う、ＦＲ−ＨＥＶ車両に対する二輪駆動状態の燃費測定を、実際の路面上を走行するＦＲ−ＨＥＶ車両に対する燃費測定や、四輪駆動状態のＦＲ−ＨＥＶ車両に対する燃費測定と同様に行うことが可能となる。
その結果、ＦＲ−ＨＥＶ車両に対する二輪駆動状態の燃費測定に対し、測定精度を向上させることが可能となる。
【００８９】
（３）本実施形態の回生制動力制御装置では、マップ選択操作検出手段がシャシダイ走行マップを選択する選択操作を検出すると、シャシダイ走行判定手段が、二輪駆動状態のハイブリッド車両が、シャシダイナモ装置上で後輪の回転のみで走行していると判定する。
このため、ハイブリッド車両の動作状態を検出することなく、二輪駆動状態のハイブリッド車両がシャシダイナモ装置上で後輪の回転のみで走行していると判定することが可能となる。
その結果、シャシダイ走行判定手段の構成を簡略化することが可能となり、回生制動力制御装置の構成を簡略化することが可能となるため、部品コスト及び製造コストを低減することが可能となる。
【００９０】
（４）本実施形態の回生制動力制御装置では、運転者が要求する駆動力が所定の駆動力以上であり、前輪が停止している場合に、シャシダイ走行判定手段が、二輪駆動状態のハイブリッド車両が、シャシダイナモ装置上で後輪の回転のみで走行していると判定する。
このため、測定者や運転者等の人為的な選択操作や、外部装置が出力する信号に因らず、ハイブリッド車両の動作状態に応じて、二輪駆動状態のハイブリッド車両がシャシダイナモ装置上で後輪の回転のみで走行していると判定することが可能となる。
その結果、選択操作に人為的なミスが生じた場合や、外部装置に故障が生じた場合であっても、二輪駆動状態のハイブリッド車両が、シャシダイナモ装置上で後輪の回転のみで走行していると判定することが可能となる。
【００９１】
（５）本実施形態の回生制動力制御方法では、後輪のみを駆動輪とした二輪駆動状態のハイブリッド車両が、シャシダイナモ装置上で後輪の回転のみで走行する際に、運転者が要求する制動力に応じて、モータが発生する回生制動力を制御する。この制御は、前輪及び後輪を駆動輪とした四輪回転状態において運転者が要求する制動力に応じてモータが発生する回生制動力よりも、運転者が要求する制動力に応じてモータが発生する回生制動力の減少度合いを減少させる制御とする。
【００９２】
このため、制動時に、前輪及び後輪が回転している状態における回生制動時よりもブレーキの操作量を増加させても、後輪が発生する制動力のうち、回生制動による制動力の割合が減少することを抑制することが可能となる。
その結果、ＦＲ−ＨＥＶ車両に対する二輪駆動状態の燃費測定時に、回生制動により発電する電力の回収量が減少することを抑制可能となり、バッテリへ供給する電力の減少を抑制して、燃費の低下を抑制することが可能となる。
【００９３】
（応用例）
（１）本実施形態の回生制動力制御装置では、シャシダイ走行マップに示す、モータ４が発生する回生制動力を、通常マップに示す、四輪回転状態において要求制動力に応じてモータ４が発生する回生制動力に対し、踏力係数を乗じた値とした。しかしながら、シャシダイ走行マップに示す、モータ４が発生する回生制動力は、これに限定するものではない。すなわち、シャシダイ走行マップに示す、モータ４が発生する回生制動力は、通常マップよりも、要求制動力に応じてモータ４が発生する回生制動力の減少度合いが小さければよい。
【００９４】
（２）本実施形態の回生制動力制御装置では、シャシダイ走行判定手段７８が行う判定を、マップ選択操作検出手段８６、要求駆動力検出手段８８及び前輪回転状態検出手段９０が出力する情報信号に基づいて行ったが、これに限定するものではない。
すなわち、マップ選択操作検出手段８６が出力する情報信号のみに基づいて、シャシダイ走行判定手段７８が行う判定を行ってもよい。この場合、シャシダイ走行判定手段７８の構成を、要求駆動力検出手段８８及び前輪回転状態検出手段９０を備えていない構成としてもよい。
また、要求駆動力検出手段８８及び前輪回転状態検出手段９０が出力する情報信号のみに基づいて、シャシダイ走行判定手段７８が行う判定を行ってもよい。この場合、シャシダイ走行判定手段７８の構成を、マップ選択操作検出手段８６を備えていない構成としてもよい。
【図面の簡単な説明】
【００９５】
【図１】第一実施形態の回生制動力制御装置を備えるハイブリッド車両ＨＥＶの概略構成図であり、ハイブリッド車両ＨＥＶの駆動系構成を説明する図である。
【図２】回生制動力制御装置の構成を示すブロック図である。
【図３】シャシダイナモ装置ＣＤ上にハイブリッド車両ＨＥＶを配置した状態を示す図である。
【図４】通常マップの具体的な構成を示す図である。
【図５】シャシダイ走行マップの具体的な構成を示す図である。
【図６】回生制動力制御装置の動作（処理）を示すフローチャートである。
【符号の説明】
【００９６】
１    前輪
２    エンジン
４    モータ
６    第一クラッチ
８    第二クラッチ
１０  トランスミッション
１２  後輪
１４  ブレーキコントローラ
１６  車輪速センサ
１８  エンジンコントローラ
２４  モータコントローラ
２６  インバータ
２８  バッテリ
３４  統合コントローラ
３６  第一クラッチコントローラ
４４  ＡＴコントローラ
６４  ＣＡＮ通信線
６６  アクセル開度センサ
６８  車速センサ
７０  ブレーキストロークセンサ
７２  ブレーキ装置
７４  マップ選択スイッチ
７６  制動力マップ記憶部
７８  シャシダイ走行判定手段
８０  要求制動力検出手段
８２  マップ選択手段
８４  回生制動力制御手段
８６  マップ選択操作検出手段
８８  要求駆動力検出手段
９０  前輪回転状態検出手段
９２  シャシダイ走行判定部
ＨＥＶ  ハイブリッド車両
ＣＤ  シャシダイナモ装置
【図１】
2010154643.tif 000003
【図２】
2010154643.tif 000004
【図３】
2010154643.tif 000005
【図４】
2010154643.tif 000006
【図５】
2010154643.tif 000007
【図６】
2010154643.tif 000008